(57)【要約】      （修正有）【課題】複数の単管によって形成される吊り足場において単管を吊り下げ支持するための単管吊り金具であって、単管をより強固に把持して、吊り足場をより安全にすることができる単管吊り金具を提供する。【解決手段】複数の単管によって形成される吊り足場において単管を吊り下げ支持するための単管吊り金具１は、単管４の外周を把持するように互いに対向して配置される第１および第２の把持部２ａ、２ｂと、第１および第２の把持部の端部に係合されるとともに、第１および第２の把持部により単管を把持可能に互いの端部同士を近づける第１の締結部材２ｃと、を含む第１のクランプ部材２と、第１の把持部にねじ係合して設けられ、第１および第２の把持部により把持された状態の単管外周を第２の把持部に向けて押圧する押圧ボルト３と、を備え、第１のクランプ部材は、押圧ボルトとねじ係合するためのナット２ｄを第１の把持部に固定してさらに備える。【選択図】図１
0003197749.tif 000002
【実用新案登録請求の範囲】
【請求項１】
複数の単管によって形成される吊り足場において単管を吊り下げ支持するための単管吊り金具であって、
単管の外周を把持するように互いに対向して配置される第１および第２の把持部と、第１および第２の把持部の端部に係合されるとともに、第１および第２の把持部により単管を把持可能に互いの端部同士を近づける第１の締結部材と、を含む第１のクランプ部材と、
第１の把持部にねじ係合して設けられ、第１および第２の把持部により把持された状態の単管外周を第２の把持部に向けて押圧する押圧ボルトと、を備え、
第１のクランプ部材は、押圧ボルトとねじ係合するためのナットを第１の把持部に固定してさらに備える、単管吊り金具。
【請求項２】
単管の外周を把持するように互いに対向して配置される第３および第４の把持部と、第３および第４の把持部の端部に係合されるとともに、第３および第４の把持部により単管を把持可能に互いの端部同士を近づける第２の締結部材と、を含む第２のクランプ部材をさらに備え、
第１および第２のクランプ部材により把持する単管が互いに直交する方向に延びるように、第１のクランプ部材の第２の把持部に対して、第２のクランプ部材の第３の把持部が固定される、請求項１に記載の単管吊り金具。
【請求項３】
単管の外周を把持するように互いに対向して配置される第３および第４の把持部と、第３および第４の把持部の端部同士を締結する第２の締結部材と、を含む第２のクランプ部材をさらに備え、
第１のクランプ部材の第２の把持部に対して、第２のクランプ部材の第３の把持部を回転可能に取り付けた、請求項１に記載の単管吊り金具。
【考案の詳細な説明】
【技術分野】
【０００１】
本開示は、橋梁、高架橋等に吊り下げて設けられる吊り足場に使用される単管吊り金具に関する。
【背景技術】
【０００２】
従来、橋梁、高架橋等に吊り下げて設けられる吊り足場に使用される単管吊り金具として様々な構成のものが知られている。従来の単管吊り金具として、例えば、特許文献１に記載の単管吊り金具では、いわゆる直交クランプが用いられており、交差する２つの単管を互いに直交する方向に延びるようにして把持する。
【先行技術文献】
【特許文献】
【０００３】
【特許文献１】特開平１０―１０２７６５号公報
【考案の概要】
【考案が解決しようとする課題】
【０００４】
昨今では、吊り足場をより安全に組み立てることが求められている。例えば、吊り足場において、特許文献１の単管吊り金具などを用いて単管を吊り下げ支持する際には、単管をより強固に把持すること等、吊り足場をより安全なものとすることが求められている。
【０００５】
従って、本開示の目的は、上記従来の課題を解決することにあって、単管をより強固に把持して、吊り足場をより安全なものすることができる、単管吊り金具を提供することにある。
【課題を解決するための手段】
【０００６】
上記目的を達成するために、本開示の単管吊り金具は以下のように構成する。
【０００７】
本開示の一の態様によれば、複数の単管によって形成される吊り足場において単管を吊り下げ支持するための単管吊り金具であって、単管の外周を把持するように互いに対向して配置される第１および第２の把持部と、第１および第２の把持部の端部に係合されるとともに、第１および第２の把持部により単管を把持可能に互いの端部同士を近づける第１の締結部材と、を含む第１のクランプ部材と、第１の把持部にねじ係合して設けられ、第１および第２の把持部により把持された状態の単管外周を第２の把持部に向けて押圧する押圧ボルトと、を備え、第１のクランプ部材は、押圧ボルトとねじ係合するためのナットを第１の把持部に固定してさらに備える、単管吊り金具を提供する。
【考案の効果】
【０００８】
本開示によれば、複数の単管によって形成される吊り足場において単管を吊り下げ支持するための単管吊り金具において、単管をより強固に把持して、吊り足場をより安全なものとすることができる。
【図面の簡単な説明】
【０００９】
【図１】本開示の実施の形態１にかかる単管吊り金具の外観図
【図２】本開示の実施の形態２にかかる単管吊り金具の外観図
【考案を実施するための形態】
【００１０】
本開示の第１態様によれば、複数の単管によって形成される吊り足場において単管を吊り下げ支持するための単管吊り金具であって、単管の外周を把持するように互いに対向して配置される第１および第２の把持部と、第１および第２の把持部の端部に係合されるとともに、第１および第２の把持部により単管を把持可能に互いの端部同士を近づける第１の締結部材と、を含む第１のクランプ部材と、第１の把持部にねじ係合して設けられ、第１および第２の把持部により把持された状態の単管外周を第２の把持部に向けて押圧する押圧ボルトと、を備え、第１のクランプ部材は、押圧ボルトとねじ係合するためのナットを第１の把持部に固定してさらに備える、単管吊り金具を提供する。
【００１１】
このような構成によれば、単管をより強固に把持して、吊り足場をより安全なものとすることができる。
【００１２】
本開示の第２態様によれば、単管の外周を把持するように互いに対向して配置される第３および第４の把持部と、第３および第４の把持部の端部に係合されるとともに、第３および第４の把持部により単管を把持可能に互いの端部同士を近づける第２の締結部材と、を含む第２のクランプ部材をさらに備え、第１および第２のクランプ部材により把持する単管が互いに直交する方向に延びるように、第１のクランプ部材の第２の把持部に対して、第２のクランプ部材の第３の把持部が固定される、第１態様に記載の単管吊り金具を提供する。
【００１３】
このような構成によれば、単管をより強固に把持して、吊り足場をより安全なものとすることができる。
【００１４】
本開示の第３態様によれば、単管の外周を把持するように互いに対向して配置される第３および第４の把持部と、第３および第４の把持部の端部同士を締結する第２の締結部材と、を含む第２のクランプ部材をさらに備え、第１のクランプ部材の第２の把持部に対して、第２のクランプ部材の第３の把持部を回転可能に取り付けた、第１態様に記載の単管吊り金具を提供する。
【００１５】
このような構成によれば、単管をより強固に把持して、吊り足場をより安全なものとすることができる。
【００１６】
以下に、本開示にかかる実施の形態を図面に基づいて詳細に説明する。
【００１７】
（実施の形態１）
本開示の実施の形態１にかかる単管吊り金具１の外観図を図１（ａ）、（ｂ）、（ｃ）、（ｄ）に示す。本実施の形態１の単管吊り金具１は、複数の単管およびこれらの単管により支持された足場板によって構成される吊り足場において、単管を吊り下げて支持するための金具である。
【００１８】
図１に示すように、単管吊り金具１は、クランプ部材２と、押圧ボルト３とを備える。単管金具１は、クランプ部材２および押圧ボルト３を用いて、単管４を把持する。
【００１９】
クランプ部材２は、その内周側に配置された単管４として例えば丸パイプを把持する部材である。クランプ部材２は、単管４の外周を把持するように互いに対向して配置される第１および第２の把持部２ａ、２ｂと、第１および第２の把持部２ａ、２ｂの端部（一端）同士を締結する締結部材２ｃと、押圧ボルト３とねじ係合するためのナット２ｄとを備える。第１の把持部２ａと第２の把持部２ｂとは開閉可能に他端において連結されている。締結部材２ｃは、第１および第２の把持部２ａ、２ｂの端部に係合されるとともに、第１および第２の把持部２ａ、２ｂにより単管４を把持可能に、互いの端部（一端）同士を近づけて締結する機能を有し、例えば、ボルトとナットにより構成される。ナット２ｄは、第１の把持部２ａにおける単管４と接触しない側の外側表面に溶接されて、第１の把持部２ａに固定されている。第１の把持部２ａには、ナット２ｄのねじ穴を通じて、単管４が配置される内側と配置されない外側とを連通させるように貫通孔（図示せず）が形成されている。
【００２０】
押圧ボルト３は、第１および第２の把持部２ａ、２ｂにより把持された状態の単管４の外周を第２の把持部２ｂに向けて押圧するための部材である。この押圧ボルト３をナット２ｄおよび第１の把持部２ａの貫通孔にねじ込んで先端をクランプ部材２の内側に突出させることにより、クランプ部材２の内側に配置された単管４を第２の把持部２ｂに向けて押圧する（付勢する）ことができる。
【００２１】
このような構成によれば、クランプ部材２において、第１および第２の把持部２ａ、２ｂならびに締結部材２ｃによる単管４の把持に加えて、押圧ボルト３によっても単管４を把持することができる。特に、鉛直方向に沿って配置された単管４をクランプ部材２により把持するような場合に、押圧ボルト３によっても単管４を把持することで、単管４をより強固に把持することができる。具体的には、クランプ部材２により、水平方向に延びる単管４を把持する場合には、第１および第２の把持部２ａ、２ｂにより単管４を鉛直断面沿いの方向に締め付けて把持するため、鉛直方向に荷重がかかる単管４の把持位置の位置ずれは生じにくい。これに対して、クランプ部材２により鉛直方向に延びる単管４を把持する場合には、第１および第２の把持部２ａ、２ｂにより単管４を水平断面沿いの方向に締め付けて把持するため、鉛直方向に荷重がかかる単管４の把持位置の位置ずれが生じやすくなる。一方で、単管吊り金具１によれば、第１、第２の把持部２ａ、２ｂに加えて押圧ボルト３によっても単管４を把持することができるため、鉛直方向に延びる単管４をより強固に把持することができ、単管４の把持位置の位置ずれの発生を抑制することができる。これのようにして、より安全な吊り足場の組立てに貢献することができる。
【００２２】
上述したように、本実施の形態１にかかる単管吊り金具１は、複数の単管４によって形成される吊り足場において単管４を吊り下げ支持するための単管吊り金具であり、第１のクランプ部材２と、押圧ボルト３とを備える。第１のクランプ部材２は、第１および第２の把持部２ａ、２ｂと、第１の締結部材２ｃとを備える。第１および第２の把持部２ａ、２ｂは、単管４の外周を把持するように互いに対向して配置される。第１の締結部材２ｃは、第１および第２の把持部２ａ、２ｂの端部に係合されるとともに、第１および第２の把持部２ａ、２ｂにより単管４を把持可能に互いの端部同士を近づける。押圧ボルト３は、第１の把持部２ａにねじ係合して設けられ、第１および第２の把持部２ａ、２ｂにより把持された状態の単管４外周を第２の把持部２ｂに向けて押圧する。第１のクランプ部材２は、押圧ボルト３とねじ係合するためのナット２ｄを第１の把持部２ａに固定してさらに備える。このような構成によれば、第１および第２の把持部２ａ、２ｂならびに締結部材２ｃによる単管４の把持に加えて、押圧ボルト３によっても単管４を把持することができる。これにより、特に鉛直方向に沿って配置された単管４をクランプ部材２により把持するような場合に、押圧ボルト３によっても単管４を把持して単管４をより強固に把持することができ、単管４の把持位置の位置ずれの発生を抑制することができる。このようにして、より安全な吊り足場の組立てに貢献することができる。
【００２３】
（実施の形態２）
次に、本開示の実施の形態２にかかる単管吊り金具１１について、図２（ａ）、（ｂ）に示す外観図を用いて説明する。本実施の形態２の単管吊り金具１１は、実施の形態１の単管吊り金具１のクランプ部材２（第１のクランプ部材２）に加えて、クランプ部材２と類似の構成を有するクランプ部材１２（第２のクランプ部材１２）を設けたという点で、単管吊り金具１とは相違する。以下、この相違点についてのみ説明する。なお、本実施の形態２の単管吊り金具１１において、上述した実施の形態１の単管吊り金具１と同じ構成部材には、同じ参照符号を付してその説明を省略する。
【００２４】
図２では、互いに直交するＸ方向、Ｙ方向およびＺ方向を定めており、図２（ｂ）は、図２（ａ）をＺ方向の軸を中心に９０度回転させた状態を示す。図２に示すように、単管吊り金具１１のクランプ部材１２は、単管吊り金具１のクランプ部材２と同様の構成（ナット２ｄおよびボルト３を除く）を有する。具体的には、クランプ部材１２は、単管５の外周を把持するように互いに対向して配置される第３および第４の把持部１２ａ、１２ｂと、第３および第４の把持部１２ａ、１２ｂの端部（一端）同士を締結する締結部材１２ｃ（第２の締結部材１２ｃ）と、を備える。本実施の形態２における単管吊り金具１１は、単管４を付加的に把持する押圧ボルト３とナット２ｄを、２つのクランプ部材２、１２のうちの一方のクランプ部材２のみに設けている。
【００２５】
クランプ部材２とクランプ部材１２は、第２の把持部２ｂと第４の把持部１２ｂのそれぞれの表面を結合（例えば溶接）して固定されている。本実施の形態２では、図２に示すように、クランプ部材２とクランプ部材１２により把持する単管４、５が互いに直交する方向に延びるようにクランプ部材２とクランプ部材１２が固定される。図２では、クランプ部材２により把持する単管４が延びる方向をＸ方向、クランプ部材１２により把持する単管５が延びる方向をＹ方向としている。図２に示される単管吊り金具１１は、いわゆる直交クランプ（perpendicular clamp）として構成される。
【００２６】
このような直交クランプとしての単管吊り金具１１を吊り足場に適用する際には、一方のクランプ部材により水平方向に延びる単管を把持し、もう一方のクランプ部材により鉛直方向に延びる単管を把持する形態が多く想定される。単管吊り金具１１によれば、押圧ボルト３を有するクランプ部材２により鉛直方向に延びる単管４を把持し、もう一方のクランプ部材１２により水平方向に延びる単管５を把持することで、２つの単管４、５をバランス良く把持することができる。具体的には、前述したように、鉛直方向に延びる単管４をクランプ部材２により把持し、把持した単管４を押圧ボルト３で押圧することで、把持位置の位置ずれが発生しやすい鉛直方向に延びる単管４をより強固に把持することができる。これにより、単管４の位置ずれの発生を抑制するとともに、２つの単管４、５をバランス良く把持することができ、より安全な吊り足場の組立てに貢献することができる。
【００２７】
上述の実施の形態２では、いわゆる直交クランプとしての単管吊り金具１１について説明したが、このような場合に限らない。例えば、クランプ部材２、１２の取付位置を図２と同様とする一方、クランプ部材２、１２をＺ軸方向の軸を中心として互いに回転可能に取り付けてもよい。すなわち、単管吊り金具１１をいわゆる自在クランプ（adjustable clamp）として構成してもよい。このような場合であっても、押圧ボルト３を有するクランプ部材２により鉛直方向に延びる単管４を支持することで、単管４をより強固に把持して、単管４の位置ずれの発生を抑制することができ、より安全な吊り足場の組立てに貢献することができる。
【００２８】
なお、上記様々な実施の形態のうちの任意の実施の形態を適宜組み合わせることにより、それぞれの有する効果を奏するようにすることができる。
【産業上の利用可能性】
【００２９】
本開示の単管吊り金具は、橋梁、高架橋等に吊り下げて設けられる吊り足場への適用が有用である。
【符号の説明】
【００３０】
１、１１  単管吊り金具
２  クランプ部材（第１のクランプ部材）
２ａ  第１の把持部
２ｂ  第２の把持部
２ｃ  締結部材（第１の締結部材）
２ｄ  ナット
３  押圧ボルト
４、５  単管
１２  クランプ部材（第２のクランプ部材）
１２ａ  第３の把持部
１２ｂ  第４の把持部
１２ｃ  締結部材（第２の締結部材）
【図１】
0003197749.tif 000003
【図２】
0003197749.tif 000004